【手続補正書】
【提出日】令和1年11月26日(2019.11.26)
【手続補正１】
【補正対象書類名】特許請求の範囲
【補正対象項目名】全文
【補正方法】変更
【補正の内容】
【特許請求の範囲】
【請求項１】
放射性材料を含有する複数のキャニスタを格納するための水平貯蔵モジュール（ＨＳＭ）であって、前記ＨＳＭは、
複数のコンパートメントを画定する単一本体であって、各コンパートメントは、前記複数のキャニスタのうちの１つを受容するために構成され、前記コンパートメントは、第１の高度における第１の列のコンパートメントと、前記第１の高度より高い第２の高度における第２の列のコンパートメントとを備え、前記コンパートメントは、分割壁によって分離されている、単一本体と、
前記分割壁に固定された複数のキャニスタ支持体であって、前記複数のキャニスタ支持体は、前記キャニスタが前記分割壁から間隔を空けられ、かつ前記第１の列のコンパートメント内のキャニスタが前記第２の列のコンパートメント内のキャニスタと垂直に重複しないように、前記複数のコンパートメントのうちの対応する１つ内において中央に前記複数のキャニスタを支持するように構成されている、複数のキャニスタ支持体と
を備え、
前記第２の列のコンパートメントの下方部分は、前記第１の列のコンパートメントの上方部分より低い高度にある、ＨＳＭ。
【請求項２】
前記複数のコンパートメントのそれぞれ内に、略垂直経路を有する通気経路を含む、換気手段をさらに備える、請求項１に記載のＨＳＭ。
【請求項３】
各コンパートメントは、少なくとも２つの他のコンパートメントに隣接する、請求項１に記載のＨＳＭ。
【請求項４】
各コンパートメントは、断面形状において多角形である、請求項１に記載のＨＳＭ。
【請求項５】
前記コンパートメントは、断面において五角形である、請求項１に記載のＨＳＭ。
【請求項６】
前記複数のコンパートメントは、交互構成で配列されている、請求項１に記載のＨＳＭ。
【請求項７】
前記本体上に屋根をさらに備える、請求項１に記載のＨＳＭ。
【請求項８】
前記屋根は、複数の出口通気口を含み、各出口通気口は、前記複数のコンパートメントのうちの対応する１つと流体連通している、請求項７に記載のＨＳＭ。
【請求項９】
前記屋根は、前記本体の前壁および前記本体の後壁によってのみ支持されている、請求項７に記載のＨＳＭ。
【請求項１０】
複数の空気流路をさらに備え、各空気流路は、下方入口通気口から前記複数のコンパートメントのうちの対応する１つまで、および前記対応するコンパートメントから上方出口通気口まで延在する、請求項１に記載のＨＳＭ。
【請求項１１】
前記キャニスタを前記第２の高度まで持ち上げるためのキャリッジアセンブリをさらに備える、請求項１に記載のＨＳＭ。
【請求項１２】
前記本体部分は、モジュール化され、複数の区画から作製されている、請求項１に記載のＨＳＭ。
【請求項１３】
前記複数の区画は、相互の上に垂直に層化されている、請求項１２に記載のＨＳＭ。
【請求項１４】
隣接する区画は、垂直取付システムのみを使用して、相互に取り付けられている、請求項１２に記載のＨＳＭ。
【請求項１５】
前記垂直取付システムは、前記隣接する区画の壁内の複数の垂直に配向された孔と、そのような孔を接続する接材とを含む、請求項１４に記載のＨＳＭ。
【請求項１６】
前記キャニスタ支持体は、軸受ブロックを備える、請求項１に記載のＨＳＭ。
【手続補正２】
【補正対象書類名】明細書
【補正対象項目名】００２９
【補正方法】変更
【補正の内容】
【００２９】
本明細書に説明される実施形態のいずれかでは、フレームアセンブリは、キャスクを搬送するために支持スキッドと結合するためのキャッチャアセンブリを含んでもよい。
本願明細書は、例えば、以下の項目も提供する。
（項目１）
水平貯蔵モジュール（ＨＳＭ）であって、前記ＨＳＭは、
キャニスタを受容するために構成された複数のコンパートメントを画定する本体を備え、前記コンパートメントは、第１の高度における第１の列と、前記第１の高度より高い第２の高度における第２の列とに配列され、前記第１の列内の１つのコンパートメントの少なくとも一部は、前記第２の列内の１つのコンパートメントの少なくとも一部と同一水平軸場所にある、ＨＳＭ。
（項目２）
前記複数のコンパートメントのそれぞれ内に、略垂直経路を有する通気経路を含む、換気手段をさらに備える、項目１に記載のＨＳＭ。
（項目３）
各コンパートメントは、少なくとも２つの他のコンパートメントに隣接し、好ましくは、少なくとも３つの他のコンパートメントに隣接し、好ましくは、少なくとも４つの他のコンパートメントに隣接する、項目１または２に記載のＨＳＭ。
（項目４）
各コンパートメントは、断面形状において多角形である、項目１−３のいずれか１項に記載のＨＳＭ。
（項目５）
前記コンパートメントの少なくともいくつかは、断面形状において六角形である、項目１に記載のＨＳＭ。
（項目６）
前記複数のコンパートメントは、交互構成で配列されている、項目１に記載のＨＳＭ。
（項目７）
前記本体上に屋根をさらに備える、項目１に記載のＨＳＭ。
（項目８）
前記屋根は、耐衝撃性手段を有し、好ましくは、以下の要素：耐衝撃性ポリマーブランケット、事前に変形された鋼鉄パイプによって支持される鉄筋コンクリートスラブ、半パイプ、事前に張力がかけられたコンクリートスラブのうちの１つ以上を含む、項目７に記載のＨＳＭ。
（項目９）
前記屋根は、前壁および後壁によってのみ支持されている、項目７または８に記載のＨＳＭ。
（項目１０）
少なくとも第１の垂直経路は、各入口通気口から各コンパートメントまで延在し、少なくとも第２の垂直経路は、各コンパートメントから各出口通気口まで延在する、項目１−９のうちのいずれかに記載のＨＳＭ。
（項目１１）
前記キャニスタを前記第２の高度まで持ち上げるためのキャリッジアセンブリをさらに備える、項目１−１０のうちのいずれかに記載のＨＳＭ。
（項目１２）
前記本体部分は、モジュール化され、複数の区画から作製されている、前記項目のうちのいずれか１項に記載のＨＳＭアセンブリ。
（項目１３）
前記複数の区画は、相互の上に垂直に層化されている、項目１２に記載のＨＳＭアセンブリ。
（項目１４）
隣接する区画は、垂直取付システムのみを使用して、相互に取り付けられている、項目１２に記載のＨＳＭアセンブリ。
（項目１５）
前記垂直取付システムは、前記隣接する区画の壁内の複数の垂直に配向された孔と、そのような孔を接続する接材とを含む、項目１４に記載のＨＳＭアセンブリ。
（項目１６）
前記複数の区画は、鉄筋コンクリートから作製されている、項目１２−１５のいずれかに記載のＨＳＭアセンブリ。
（項目１７）
ＨＳＭアセンブリを構築する方法であって、前記方法は、
（ａ）前記ＨＳＭアセンブリの本体部分のための複数の区画を形成することと、
（ｂ）区画を隣接して位置付けることと
を含む、方法。
（項目１８）
隣接する区画を垂直に取り付けることをさらに含む、項目１７に記載の方法。
（項目１９）
高密度水平貯蔵モジュール（ＨＳＭ）のためのキャリッジアセンブリであって、前記ＨＳＭは、キャニスタを受容するために構成された複数のコンパートメントを画定する本体を含み、前記コンパートメントは、第１の高度における第１の列と、前記第１の高度より高い第２の高度における第２の列とに配列され、前記第１の列内の１つのコンパートメントの少なくとも一部は、前記第２の列内の１つのコンパートメントの少なくとも一部と同一水平軸場所にあり、前記キャリッジアセンブリは、
フレームアセンブリと、
前記第２の高度における第２の列までの送達のために、キャニスタを含有するキャスクを持ち上げるための作動手段と
を備える、キャリッジアセンブリ。
（項目２０）
前記フレームアセンブリは、進行構成に折畳され、持上構成に拡張することができる、項目１９に記載のキャリッジアセンブリ。
（項目２１）
トラックと噛合するために構成された運搬アセンブリをさらに備える、項目１９に記載のキャリッジアセンブリ。
（項目２２）
前記フレームアセンブリは、前記キャスクを搬送するために支持スキッドと結合するためのキャッチャアセンブリを含む、項目１９に記載のキャリッジアセンブリ。
（項目２３）
高密度水平貯蔵モジュール（ＨＳＭ）のためのキャリッジアセンブリであって、前記ＨＳＭは、キャニスタを受容するために構成された複数のコンパートメントを画定する本体を含み、前記コンパートメントは、第１の高度における第１の列と、前記第１の高度より高い第２の高度における第２の列とに配列され、前記第１の列内の１つのコンパートメントの少なくとも一部は、前記第２の列内の１つのコンパートメントの少なくとも一部と同一水平軸場所にあり、前記キャリッジアセンブリは、
フレームアセンブリと、
前記第２の高度における第２の列までの送達のために、キャニスタを含有するキャスクを持ち上げるための作動システムと
を備える、キャリッジアセンブリ。
（項目２４）
キャニスタを高密度水平貯蔵モジュール（ＨＳＭ）内に装填する方法であって、前記ＨＳＭは、キャニスタを受容するために構成された複数のコンパートメントを画定する本体を含み、前記コンパートメントは、第１の高度における第１の列と、前記第１の高度より高い第２の高度における第２の列とに配列され、前記第１の列内の１つのコンパートメントの少なくとも一部は、前記第２の列内の１つのコンパートメントの少なくとも一部と同一水平軸場所にあり、前記方法は、
キャニスタを含有するキャスクを前記第１の高度におけるキャリッジアセンブリのフレームアセンブリ内に受容することと、
前記第２の高度における第２の列への前記キャニスタの送達のために、前記キャニスタを含有するキャスクを持ち上げることと
を含む、方法。